(57)【要約】【課題】増幅器を保護しつつ、受信品質の低下を抑制すること。【解決手段】無線通信装置は、アンテナによって受信された受信信号を増幅する第１の増幅器と、前記アンテナ及び前記第１の増幅器を接続する第１の伝送路上に配置され、前記アンテナ側からの入力信号を第２の伝送路へ出力し、前記第２の伝送路からの入力信号を前記第１の増幅器側へ出力する第１のサーキュレータと、前記第１のサーキュレータから前記第２の伝送路へ出力された信号のうち、前記受信信号の周波数帯域の信号を反射させ、前記受信信号の周波数帯域以外の信号を通過させる第１のフィルタと、前記第１のフィルタを通過した信号を終端させる第１の終端器とを有する。【選択図】図１
2020048039.tif 000002
【特許請求の範囲】
【請求項１】
アンテナによって受信された受信信号を増幅する第１の増幅器と、
前記アンテナ及び前記第１の増幅器を接続する第１の伝送路上に配置され、前記アンテナ側からの入力信号を第２の伝送路へ出力し、前記第２の伝送路からの入力信号を前記第１の増幅器側へ出力する第１のサーキュレータと、
前記第１のサーキュレータから前記第２の伝送路へ出力された信号のうち、前記受信信号の周波数帯域の信号を反射させ、前記受信信号の周波数帯域以外の信号を通過させる第１のフィルタと、
前記第１のフィルタを通過した信号を終端させる第１の終端器と
を有することを特徴とする無線通信装置。
【請求項２】
前記第１のサーキュレータと前記第１の増幅器との間に配置され、前記第１の増幅器への信号入力の有無を切り替えるスイッチをさらに有し、
前記スイッチは、
無線通信システムにおいて規定される受信区間には前記第１の増幅器へ信号を入力させ、無線通信システムにおいて規定される送信区間には前記第１の増幅器へ信号を入力させない
ことを特徴とする請求項１記載の無線通信装置。
【請求項３】
前記スイッチによって前記第１の増幅器へ入力されない信号を終端させる第２の終端器をさらに有することを特徴とする請求項２記載の無線通信装置。
【請求項４】
送信信号を増幅する第２の増幅器と、
前記第１の伝送路上に配置され、前記第２の増幅器からの入力信号を前記アンテナ側へ出力し、前記アンテナ側からの入力信号を前記第１のサーキュレータへ出力する第２のサーキュレータと、
前記第２のサーキュレータから前記アンテナ側へ出力された信号のうち、前記送信信号の周波数帯域の信号を通過させる第２のフィルタとをさらに有し、
前記第２のサーキュレータは、
前記第２のフィルタを通過せずに反射した不要信号を前記第１のサーキュレータへ出力する
ことを特徴とする請求項１記載の無線通信装置。
【請求項５】
送信信号を増幅する第２の増幅器と、
前記第１の伝送路上に配置され、前記第２の増幅器によって増幅された送信信号と前記アンテナによって受信された受信信号とを分離して、前記受信信号を前記第１のサーキュレータへ出力するデュプレクサとをさらに有し、
前記デュプレクサは、
前記受信信号と分離されずに回り込む一部の送信信号成分を前記第１のサーキュレータへ出力する
ことを特徴とする請求項１記載の無線通信装置。
【請求項６】
アンテナによって受信された受信信号を増幅する増幅器の過入力保護方法であって、
前記アンテナ及び前記増幅器を接続する第１の伝送路において、前記アンテナ側からの信号を第２の伝送路へ引き込み、
前記第２の伝送路に配置されたフィルタによって、前記第２の伝送路へ引き込まれた信号のうち、前記受信信号の周波数帯域の信号を反射させ、前記受信信号の周波数帯域以外の信号を通過させ、
前記フィルタを通過した信号を終端させ、
前記フィルタを通過せずに反射した信号を前記増幅器によって増幅する
処理を有することを特徴とする過入力保護方法。
【発明の詳細な説明】
【技術分野】
【０００１】
本発明は、無線通信装置及び増幅器の過入力保護方法に関する。
【背景技術】
【０００２】
一般に、例えばＴＤＤ（Time  Division  Duplex）方式の無線通信システムに用いられる基地局装置は、受信される不要波の過大なレベルから受信部の低雑音増幅器（Low  Noise  Amplifier：ＬＮＡ）を保護するための過入力保護回路を備えている。具体的には、受信部のＬＮＡの前段にＲＦ（Radio  Frequency）スイッチが設けられ、受信区間にはアンテナとＬＮＡが接続される一方、受信区間以外にはアンテナとＬＮＡの接続が切断される。これにより、受信区間以外にアンテナから受信される不要波がＬＮＡへ入力されることを回避し、ＬＮＡの故障や劣化の可能性が低減される。
【先行技術文献】
【特許文献】
【０００３】
【特許文献１】特開２０１０−１６１５７５号公報
【発明の概要】
【発明が解決しようとする課題】
【０００４】
ところで、パワーアンプやＬＮＡを備える送受信部の制御の際には、基地局装置のベースバンド処理部から送受信部へ制御信号が入力される。このとき、ベースバンド処理部では一時的にレベル不定のデータが生成され、このデータが送受信部へ入力されることがある。レベル不定のデータは、基地局装置の送信信号及び受信信号の周波数帯域（以下「信号帯域」という）とは異なる周波数帯域のデータであるため、アンテナから放射されることなく、アンテナ端で全反射する。すなわち、レベル不定のデータは、送信回路のパワーアンプによって増幅された後、アンテナ端からの反射波として受信回路のＬＮＡへ向かう。
【０００５】
そして、たとえＬＮＡの前段にＲＦスイッチが設けられていても、反射波の周波数帯域は信号帯域と異なるため、反射波がＲＦスイッチによって十分に抑圧されず、比較的大きいレベルの反射波がＬＮＡへ入力されてしまう。すなわち、ＲＦスイッチのアイソレーション特性は信号帯域に適合しているため、信号帯域とは異なる周波数帯域の反射波がＲＦスイッチを介してＬＮＡへ入力され、ＬＮＡの故障や劣化が発生することがある。このような信号帯域外の不要波に対処するために、ＬＮＡの前段にバンドパスフィルタ（Band  Pass  Filter：ＢＰＦ）を設けることが考えられる。具体的に、図６に無線通信装置の送受信部の構成の一例を示す。
【０００６】
図６に示す送受信部１０においては、パワーアンプ１１で増幅された信号がサーキュレータ１２を介してアンテナから送信される。また、アンテナから受信された信号は、サーキュレータ１２及びサーキュレータ１３を介してＢＰＦ１４へ向かう。ＢＰＦ１４は、通過帯域が信号帯域に設定されているため、信号帯域外の不要波はＢＰＦ１４で反射する一方、信号帯域内の受信信号はＢＰＦ１４を通過してＬＮＡ１５へ入力される。これにより、ＬＮＡ１５が信号帯域外の不要波から保護される。
【０００７】
ＢＰＦ１４で反射した不要波は、サーキュレータ１３を介して終端器１６へ入力され終端される。このため、不要波がパワーアンプ１１へ回り込むことがなく、パワーアンプ１１も保護される。
【０００８】
しかしながら、不要波を抑圧するためにＬＮＡの前段にＢＰＦを設ける構成では、受信信号の挿入損失が大きくなり、受信品質が低下するという問題がある。すなわち、例えば図６に示した構成では、ＢＰＦ１４によって不要波が抑圧されるものの、信号帯域内の受信信号もＢＰＦ１４を通過するため、挿入損失によって受信信号のレベルが低下する。結果として、受信信号がＬＮＡ１５によって増幅された後の復調及び復号の精度が低下し、受信品質が低下してしまう。
【０００９】
開示の技術は、かかる点に鑑みてなされたものであって、増幅器を保護しつつ、受信品質の低下を抑制することができる無線通信装置及び増幅器の過入力保護方法を提供することを目的とする。
【課題を解決するための手段】
【００１０】
本願が開示する無線通信装置は、１つの態様において、アンテナによって受信された受信信号を増幅する第１の増幅器と、前記アンテナ及び前記第１の増幅器を接続する第１の伝送路上に配置され、前記アンテナ側からの入力信号を第２の伝送路へ出力し、前記第２の伝送路からの入力信号を前記第１の増幅器側へ出力する第１のサーキュレータと、前記第１のサーキュレータから前記第２の伝送路へ出力された信号のうち、前記受信信号の周波数帯域の信号を反射させ、前記受信信号の周波数帯域以外の信号を通過させる第１のフィルタと、前記第１のフィルタを通過した信号を終端させる第１の終端器とを有する。
【発明の効果】
【００１１】
本願が開示する無線通信装置及び増幅器の過入力保護方法の１つの態様によれば、増幅器を保護しつつ、受信品質の低下を抑制することができるという効果を奏する。
【図面の簡単な説明】
【００１２】
【図１】図１は、実施の形態１に係る無線通信装置の構成を示すブロック図である。
【図２】図２は、ＢＲＦの通過帯域を示す図である。
【図３】図３は、受信区間の信号の流れを説明する図である。
【図４】図４は、送信区間の信号の流れを説明する図である。
【図５】図５は、実施の形態２に係る無線通信装置の構成を示すブロック図である。
【図６】図６は、無線通信装置の送受信部の構成の一例を示す図である。
【発明を実施するための形態】
【００１３】
以下、本願が開示する無線通信装置及び増幅器の過入力保護方法の実施の形態について、図面を参照して詳細に説明する。なお、この実施の形態により本発明が限定されるものではない。
【００１４】
（実施の形態１）
図１は、実施の形態１に係る無線通信装置１００の構成を示すブロック図である。図１に示す無線通信装置１００は、ベースバンド処理部（以下「ＢＢ処理部」と略記する）１０１、ＤＡ／ＡＤ変換部１０２、ＴＲＸ変復調部１０３、パワーアンプ１０４、サーキュレータ１０５、バンドパスフィルタ（以下「ＢＰＦ」と略記する）１０６、サーキュレータ１０７、バンドリジェクションフィルタ（Band  Rejection  Filter：以下「ＢＲＦ」と略記する）１０８、終端器１０９、ＲＦスイッチ１１０、終端器１１１及び低雑音増幅器（以下「ＬＮＡ」と略記する）１１２を有する。
【００１５】
ＢＢ処理部１０１は、信号に対するベースバンド処理を実行する。具体的には、ＢＢ処理部１０１は、データの符号化及びデジタル変調などを実行して送信信号を生成したり、受信信号のデジタル復調及び復号などを実行して受信データを取得したりする。本実施の形態においては、無線通信装置１００がＴＤＤ方式の無線通信システムにおいて用いられるため、ＢＢ処理部１０１は、無線通信システムで規定された送信区間において送信信号を生成し、受信区間において受信信号から受信データを取得する。
【００１６】
また、ＢＢ処理部１０１は、パワーアンプ１０４、サーキュレータ１０５、ＢＰＦ１０６、ＲＦスイッチ１１０及びＬＮＡ１１２などを有する送受信部を制御するための制御信号を生成する。ＢＢ処理部１０１は、制御信号を生成する過程で、レベル不定の信号（以下「レベル不定信号」という）を出力することがある。レベル不定信号は、送信信号及び受信信号とは周波数帯域が異なる信号帯域外の信号である。
【００１７】
ＤＡ／ＡＤ変換部１０２は、ＢＢ処理部１０１によって生成された送信信号をＤＡ（Digital  Analog）変換し、得られたアナログの送信信号をＴＲＸ変復調部１０３へ出力する。また、ＤＡ／ＡＤ変換部１０２は、ＴＲＸ変復調部１０３から出力される受信信号をＡＤ（Analog  Digital）変換し、得られたデジタルの受信信号をＢＢ処理部１０１へ出力する。
【００１８】
ＴＲＸ変復調部１０３は、ＤＡ／ＡＤ変換部１０２から出力されるベースバンドの送信信号をアップコンバートし、得られたＲＦの送信信号をパワーアンプ１０４へ出力する。また、ＴＲＸ変復調部１０３は、ＬＮＡ１１２から出力されるＲＦの受信信号をダウンコンバートし、得られたベースバンド周波数の受信信号をＤＡ／ＡＤ変換部１０２へ出力する。
【００１９】
なお、ＤＡ／ＡＤ変換部１０２及びＴＲＸ変復調部１０３は、送信信号と同様にレベル不定信号をＤＡ変換及びアップコンバートし、信号帯域外の不要波を発生させる。この不要波であるレベル不定信号もパワーアンプ１０４へ出力される。
【００２０】
パワーアンプ１０４は、送信信号を増幅する。また、パワーアンプ１０４は、レベル不定信号を増幅する。レベル不定信号が増幅される結果、パワーアンプ１０４の飽和電力に相当する大きいレベルの不要波がパワーアンプ１０４から出力される。
【００２１】
サーキュレータ１０５は、パワーアンプ１０４から入力される信号をＢＰＦ１０６へ出力し、ＢＰＦ１０６から入力される信号をサーキュレータ１０７へ出力する。したがって、サーキュレータ１０５は、送信信号及び不要波であるレベル不定信号をＢＰＦ１０６へ出力する。また、サーキュレータ１０５は、受信信号をサーキュレータ１０７へ出力する。
【００２２】
ＢＰＦ１０６は、通過帯域が信号帯域に設定されたフィルタである。このため、ＢＰＦ１０６は、サーキュレータ１０５から出力される送信信号を通過させてアンテナから送信するのに対し、不要波であるレベル不定信号をサーキュレータ１０５へ反射させる。反射した不要波は、サーキュレータ１０５からサーキュレータ１０７へ出力される。また、ＢＰＦ１０６は、アンテナから受信された受信信号を通過させてサーキュレータ１０５へ出力する。受信信号は、サーキュレータ１０５からサーキュレータ１０７へ出力される。
【００２３】
サーキュレータ１０７は、サーキュレータ１０５からＲＦスイッチ１１０へ向かう伝送路上に配置され、この伝送路と信号を引き込む引き込み伝送路とを接続する。そして、サーキュレータ１０７は、サーキュレータ１０５から入力される信号を引き込み伝送路へ引き込んでＢＲＦ１０８へ出力し、ＢＲＦ１０８から反射する信号をＲＦスイッチ１１０へ出力する。したがって、サーキュレータ１０７は、受信信号及び不要波であるレベル不定信号を引き込み伝送路上のＢＲＦ１０８へ出力し、これらの信号のうちＢＲＦ１０８で反射する受信信号をＲＦスイッチ１１０へ出力する。
【００２４】
ＢＲＦ１０８は、引き込み伝送路上に配置され、所望の周波数帯域を反射させる反射帯域とし、反射帯域以外の信号を通過させるフィルタである。ここでは、ＢＲＦ１０８の反射帯域は、送信信号及び受信信号の周波数を含む信号帯域に設定されている。すなわち、例えば図２に示すように、ＢＲＦ１０８は、送信信号及び受信信号の周波数ｆsが含まれる信号帯域において減衰量が大きく、不要波であるレベル不定信号の周波数ｆnが含まれる信号帯域外において通過損失が小さいフィルタである。このため、ＢＲＦ１０８は、サーキュレータ１０７から出力されるレベル不定信号を通過させて終端器１０９へ出力するのに対し、受信信号をサーキュレータ１０７へ反射させる。反射した受信信号は、サーキュレータ１０７からＲＦスイッチ１１０へ出力される。
【００２５】
終端器１０９は、引き込み伝送路の末端に配置され、例えば５０Ωなどの引き込み伝送路の特性インピーダンスと整合する抵抗値を有する純抵抗器から構成される。この構成により、終端器１０９は、ＢＲＦ１０８を通過するレベル不定信号を終端させる。すなわち、終端器１０９は、引き込み伝送路へ引き込まれたレベル不定信号を吸収し、サーキュレータ１０７へ向かう反射波を発生させない。
【００２６】
ＲＦスイッチ１１０は、無線通信システムにおいて規定される送信区間及び受信区間のタイミングで切り替わるスイッチである。具体的には、ＲＦスイッチ１１０は、送信区間においてはサーキュレータ１０７と終端器１１１とを接続し、受信区間においてはサーキュレータ１０７とＬＮＡ１１２とを接続する。したがって、ＲＦスイッチ１１０は、送信区間においては、サーキュレータ１０５から回り込む送信信号成分を終端器１１１へ出力し、受信区間においては、受信信号をＬＮＡ１１２へ出力する。
【００２７】
終端器１１１は、終端器１０９と同様に、例えば５０Ωなどの伝送路の特性インピーダンスと整合する抵抗値を有する純抵抗器から構成される。この構成により、終端器１１１は、送信区間にＲＦスイッチ１１０から出力される送信信号成分を終端させる。
【００２８】
ＬＮＡ１１２は、受信区間にＲＦスイッチ１１０から出力される受信信号を低雑音で増幅する。そして、ＬＮＡ１１２は、増幅後の受信信号をＴＲＸ変復調部１０３へ出力する。
【００２９】
次いで、上記のように構成された無線通信装置１００の送受信部における信号の流れについて、図３、４を参照しながら説明する。なお、ここでの送受信部とは、パワーアンプ１０４及びＬＮＡ１１２よりもアンテナ側の回路のことである。
【００３０】
図３は、ＴＤＤ方式の無線通信システムにおいて、無線通信装置１００が信号を受信する受信区間の信号の流れを示す図である。受信区間においては、アンテナから信号が受信され、受信信号は、ＢＰＦ１０６を通過してサーキュレータ１０５へ入力される。また、受信区間に発生したレベル不定信号は、ＢＰＦ１０６において反射し、受信信号とともにサーキュレータ１０５へ入力される。
【００３１】
サーキュレータ１０５から出力されるレベル不定信号２０１は、サーキュレータ１０７を通過して引き込み伝送路上のＢＲＦ１０８へ入力される。レベル不定信号２０１の周波数はＢＲＦ１０８の通過帯域に含まれるため、レベル不定信号２０１は、ＢＲＦ１０８を通過して終端器１０９へ入力され終端される。
【００３２】
一方、サーキュレータ１０５から出力される受信信号２１１は、サーキュレータ１０７を通過して引き込み伝送路上のＢＲＦ１０８へ入力される。受信信号２１１の周波数はＢＲＦ１０８の通過帯域に含まれないため、受信信号２１１は、ＢＲＦ１０８において反射する。この結果、ＢＲＦ１０８で反射した受信信号２１２がサーキュレータ１０７を通過して、ＲＦスイッチ１１０へ入力される。
【００３３】
このように、受信区間において、不要波であるレベル不定信号がＢＰＦ１０６から反射した場合でも、レベル不定信号２０１はＢＲＦ１０８を通過して終端器１０９によって終端される。一方、受信信号２１１、２１２はＢＲＦ１０８で反射してＲＦスイッチ１１０へ入力される。このため、不要波であるレベル不定信号２０１は終端器１０９で吸収され、ＲＦスイッチ１１０には信号帯域内の受信信号２１２のみが入力される。
【００３４】
受信区間においては、ＲＦスイッチ１１０は、サーキュレータ１０７とＬＮＡ１１２を接続するように切り替えられている。このため、受信信号２１２がＲＦスイッチへ入力されると、受信信号２１３がＲＦスイッチ１１０からＬＮＡ１１２へ出力される。この受信信号２１３は、ＬＮＡ１１２によって増幅され、ＴＲＸ変復調部１０３へ出力される。
【００３５】
このように、ＬＮＡ１１２には受信信号２１３のみが入力され、レベル不定信号が入力されることがないため、ＬＮＡ１１２に過大なレベルの信号が入力されることがなく、ＬＮＡ１１２を保護することができる。また、受信信号２１１、２１２、２１３は、ＢＲＦ１０８において反射するため、フィルタなどを通過することがなく、挿入損失を最小限に抑制することができる。結果として、受信信号のレベル低下を抑制し、デジタル復調及び復号の精度を改善することができる。換言すれば、ＬＮＡ１１２を保護しつつ、受信品質の低下を抑制することができる。
【００３６】
図４は、ＴＤＤ方式の無線通信システムにおいて、無線通信装置１００が信号を送信する送信区間の信号の流れを示す図である。送信区間においては、パワーアンプ１０４によって増幅された送信信号がサーキュレータ１０５へ入力される。送信信号は、サーキュレータ１０５を通過してＢＰＦ１０６へ出力されるが、一部の送信信号成分がサーキュレータ１０５において回り込み、この送信信号成分はサーキュレータ１０７へ出力される。また、送信区間に発生したレベル不定信号は、ＢＰＦ１０６において反射し、サーキュレータ１０５へ入力される。
【００３７】
サーキュレータ１０５から出力されるレベル不定信号２０１は、サーキュレータ１０７を通過してＢＲＦ１０８へ入力される。レベル不定信号２０１の周波数はＢＲＦ１０８の通過帯域に含まれるため、レベル不定信号２０１は、ＢＲＦ１０８を通過して終端器１０９へ入力され終端される。
【００３８】
一方、サーキュレータ１０５から出力される送信信号成分２２１は、サーキュレータ１０７を通過してＢＲＦ１０８へ入力される。送信信号成分２２１の周波数はＢＲＦ１０８の通過帯域に含まれないため、送信信号成分２２１は、ＢＲＦ１０８において反射する。この結果、ＢＲＦ１０８で反射した送信信号成分２２２がサーキュレータ１０７を通過して、ＲＦスイッチ１１０へ入力される。
【００３９】
このように、送信区間において、不要波であるレベル不定信号がＢＰＦ１０６から反射した場合でも、レベル不定信号２０１はＢＲＦ１０８を通過して終端器１０９によって終端される。一方、送信信号成分２２１、２２２はＢＲＦ１０８で反射してＲＦスイッチ１１０へ入力される。このため、不要波であるレベル不定信号２０１は終端器１０９で吸収され、ＲＦスイッチ１１０には信号帯域内の送信信号成分２２２のみが入力される。
【００４０】
送信区間においては、ＲＦスイッチ１１０は、サーキュレータ１０７と終端器１１１を接続するように切り替えられている。このため、送信信号成分２２２がＲＦスイッチへ入力されると、送信信号成分２２３がＲＦスイッチ１１０から終端器１１１へ出力される。そして、送信信号成分２２３は、終端器１１１によって終端される。
【００４１】
このように、送信区間においては、レベル不定信号及び送信信号成分がＬＮＡ１１２に入力されることがないため、ＬＮＡ１１２に過大なレベルの信号が入力されることがなく、ＬＮＡ１１２を保護することができる。
【００４２】
以上のように、本実施の形態によれば、ＬＮＡの前段にサーキュレータを設けて信号を引き込む引き込み伝送路を付加し、この引き込み伝送路上に信号帯域の信号を反射させるＢＲＦとＢＲＦを通過した信号を終端させる終端器とを配置する。このため、引き込み伝送路へ引き込まれた信号帯域外の不要波はＢＲＦを通過して終端器で終端される一方、引き込み伝送路へ引き込まれた信号帯域内の受信信号はＢＲＦで反射してＬＮＡへ入力される。結果として、ＬＮＡに不要波が入力されることがなく、ＬＮＡを保護することができる。また、受信信号がフィルタなどを通過することがなく、挿入損失を最小限に抑制することができる。換言すれば、ＬＮＡを保護しつつ、受信品質の低下を抑制することができる。
【００４３】
（実施の形態２）
実施の形態２の特徴は、ＦＤＤ（Frequency  Division  Duplex）方式の無線通信システムにおいて用いられる無線通信装置の増幅器を保護する点である。
【００４４】
図５は、実施の形態２に係る無線通信装置３００の構成を示すブロック図である。図５において、図１と同じ部分には同じ符号を付し、その説明を省略する。図５に示す無線通信装置３００は、図１に示す無線通信装置１００からサーキュレータ１０５、ＢＰＦ１０６、ＲＦスイッチ１１０及び終端器１１１を削除し、デュプレクサ３０１を追加した構成を採る。
【００４５】
デュプレクサ３０１は、無線通信システムで規定された送信周波数帯域を通過させる送信フィルタと、無線通信システムで規定された受信周波数帯域を通過させる受信フィルタとを備え、送信信号と受信信号を分離する。そして、デュプレクサ３０１は、パワーアンプ１０４によって増幅された送信信号を送信フィルタを介してアンテナから送信する。また、デュプレクサ３０１は、アンテナによって受信された受信信号を受信フィルタを介してサーキュレータ１０７へ出力する。
【００４６】
なお、本実施の形態においては、無線通信装置１００がＦＤＤ方式の無線通信システムにおいて用いられるため、ＢＢ処理部１０１は、無線通信システムで規定された送信周波数帯域の送信信号を生成し、受信周波数帯域の受信信号から受信データを取得する。送信周波数帯域と受信周波数帯域とは異なる周波数帯域である。
【００４７】
また、本実施の形態においては、ＢＲＦ１０８の反射帯域は受信周波数帯域に設定され、ＢＲＦ１０８は、受信周波数帯域以外の信号を通過させる。
【００４８】
ＦＤＤ方式では、送信及び受信が同時に実行される。このため、パワーアンプ１０４によって増幅された送信信号がデュプレクサ３０１を通過してアンテナから送信されるのと同時に、アンテナから信号が受信され、受信信号がデュプレクサ３０１を通過してサーキュレータ１０７へ出力される。送信信号がデュプレクサ３０１を通過する際には、一部の送信信号成分が受信フィルタ側へ回り込み、サーキュレータ１０７へ出力される。また、制御信号の生成時に発生するレベル不定信号は、パワーアンプ１０４によって増幅された後、デュプレクサ３０１へ入力される。そして、一部のレベル不定信号成分がデュプレクサ３０１において受信フィルタ側へ回り込み、サーキュレータ１０７へ出力される。
【００４９】
サーキュレータ１０７へ入力された受信信号、送信信号成分及びレベル不定信号成分は、引き込み伝送路へ引き込まれてＢＲＦ１０８へ入力される。これらの信号のうち送信信号成分及びレベル不定信号成分の周波数はＢＲＦ１０８の通過帯域に含まれるため、送信信号成分及びレベル不定信号成分がＢＲＦ１０８を通過して終端器１０９へ入力され終端される。一方、受信信号の周波数はＢＲＦ１０８の通過帯域に含まれないため、受信信号は、ＢＲＦ１０８において反射する。この結果、ＢＲＦ１０８で反射した受信信号がサーキュレータ１０７を通過して、ＬＮＡ１１２へ入力される。
【００５０】
このように、不要波である送信信号成分及びレベル不定信号成分がデュプレクサ３０１から出力された場合でも、送信信号成分及びレベル不定信号成分はＢＲＦ１０８を通過して終端器１０９によって終端される。一方、受信信号はＢＲＦ１０８で反射してＬＮＡ１１２へ入力される。すなわち、ＬＮＡ１１２には受信信号のみが入力され、送信信号成分及びレベル不定信号成分が入力されることがないため、ＬＮＡ１１２に過大なレベルの信号が入力されることがなく、ＬＮＡ１１２を保護することができる。また、受信信号は、ＢＲＦ１０８において反射するため、フィルタなどを通過することがなく、挿入損失を最小限に抑制することができる。結果として、受信信号のレベル低下を抑制し、デジタル復調及び復号の精度を改善することができる。換言すれば、ＬＮＡ１１２を保護しつつ、受信品質の低下を抑制することができる。
【００５１】
以上のように、本実施の形態によれば、ＬＮＡの前段にサーキュレータを設けて信号を引き込む引き込み伝送路を付加し、この引き込み伝送路上に受信周波数帯域の信号を反射させるＢＲＦとＢＲＦを通過した信号を終端させる終端器とを配置する。このため、引き込み伝送路へ引き込まれた受信周波数以外の不要波はＢＲＦを通過して終端器で終端される一方、引き込み伝送路へ引き込まれた受信周波数の受信信号はＢＲＦで反射してＬＮＡへ入力される。結果として、ＬＮＡに不要波が入力されることがなく、ＬＮＡを保護することができる。また、受信信号がフィルタなどを通過することがなく、挿入損失を最小限に抑制することができる。換言すれば、ＬＮＡを保護しつつ、受信品質の低下を抑制することができる。
【００５２】
なお、上記各実施の形態で説明した無線通信装置１００及び無線通信装置３００は、無線通信システムに配置される基地局装置やＲＥ（Radio  Equipment）又はＲＲＨ（Remote  Radio  Head）などと呼ばれる無線装置であっても良いし、ユーザが所持する端末装置であっても良い。
【符号の説明】
【００５３】
１０１  ＢＢ処理部
１０２  ＤＡ／ＡＤ変換部
１０３  ＴＲＸ変復調部
１０４  パワーアンプ
１０５、１０７  サーキュレータ
１０６  ＢＰＦ
１０８  ＢＲＦ
１０９、１１１  終端器
１１０  ＲＦスイッチ
１１２  ＬＮＡ
３０１  デュプレクサ
【図１】
2020048039.tif 000003
【図２】
2020048039.tif 000004
【図３】
2020048039.tif 000005
【図４】
2020048039.tif 000006
【図５】
2020048039.tif 000007
【図６】
2020048039.tif 000008